(57)【要約】【課題】  ペルチェ素子等の冷却素子を特段の制御なく常時駆動しながら消費電力の増加がほとんど無いような冷却手段を備えた撮像装置を提供すること。【解決手段】  撮像装置内の常時電力消費を行っている抵抗に変えてペルチェ素子等の冷却素子を挿入することで、抵抗の消費電力を冷却用の電力にできるので、消費電力の増加がない。【選択図】        図１
2006174225.tif 000002
【特許請求の範囲】
【請求項１】
撮像素子と、
半導体部を含む回路とを有する撮像装置において、
前記回路のうち、前記撮像素子が能動状態にあるのと略同じときに通電状態にある部分に、前記撮像素子を冷却するための冷却素子を能動状態にならしめるよう配置したことを特徴とする撮像装置。
【請求項２】
前記回路は、前記撮像素子を駆動もしくは制御するための回路であることを特徴とする請求項１に記載の撮像装置。
【請求項３】
前記回路は、前記撮像素子からの画像出力を駆動もしくは処理する回路であることを特徴とする請求項１又は２に記載の撮像装置。
【請求項４】
前記冷却素子は、ペルチェ素子であることを特徴とする請求項１乃至３の何れか１項に記載の撮像装置。
【発明の詳細な説明】
【技術分野】
【０００１】
本発明は、撮像装置に関する。特に、撮像素子の冷却手段を備えた撮像装置に関するものである。
【背景技術】
【０００２】
近年、デジタルカメラの小型化、高画素化が進んでいる。それに伴って、ＣＣＤ等の撮像素子も小型化、高画素化が進んでおり、撮像時に撮像素子自体で発生した熱の放熱が非常に難しくなってきている。撮像素子の温度が上昇すると暗電流が指数関数的に増加し（一般的には、８℃温度が上昇すると暗電流は２倍になると言われている）画質が劣化するため、今後、デジタルカメラには大きな問題となると考えられている。
【０００３】
一方、撮影時の暗電流が非常に大きな問題となる天体写真用デジタルカメラや蛍光を利用した化学分析用デジタルカメラ等では、従来から、液体窒素やペルチェ素子等の冷却素子を用いて撮像素子を冷却することが行われているが、これらの装置は冷却用の専用電源が必要であったりして大がかりで且つ高価であり、一般向けのデジタルカメラに応用するのは非常に難しいものであった。蛍光を利用した化学分析用デジタルカメラで冷却素子を常時駆動する場合の制御にＰＩＤ（Ｐｒｏｐｏｒｔｉｏｎａｌ  Ｉｎｔｅｇｒａｌ  Ｄｉｆｆｅｒｅｎｔｉａｌ）制御を用いる方法が提案されている（例えば、特許文献１参照）。
【０００４】
また、最近、小型のペルチェ素子が安価に利用できるようになってきており、小型の温冷蔵庫や小型のショーケース等に使用されつつある。これらの機器にペルチェ素子を用いる際の安定した制御方法についても提案が行われている（例えば、特許文献２参照）。
【０００５】
更に、デジタルカメラ等のバッテリを電源とする機器でペルチェ素子等の冷却素子を用いる場合には、バッテリの容量から考えると、冷却素子の消費電力はかなり大きいので常時通電を行って冷却することは困難であり、レリーズ時のみ通電して冷却する方法が提案されている（例えば、特許文献３参照）。
【特許文献１】特開２０００−１０１８８８号公報
【特許文献２】特開平１１−２６１１１６号公報
【特許文献３】特開２００３−３０４４２０号公報
【発明の開示】
【発明が解決しようとする課題】
【０００６】
しかしながら、特許文献１で提案された方法では、ＰＩＤ制御という非常に複雑な制御を行わねばならず、一般向けのデジタルカメラに使用されるマイクロコンピュータでは負荷が大きすぎて実現性がない。又、ペルチェ素子に常時通電を行うため、バッテリに対する負荷が大きすぎてデジタルカメラ用撮像装置には使用できない。
【０００７】
特許文献２で提案された方法では、ペルチェ素子に印加する方形衝撃波の実効値を第１の周期に対するＨＩＧＨの時間の比の１／２乗に比例させるような制御が必要であり、一般向けのデジタルカメラに使用されるマイクロコンピュータでは負荷が大きすぎて実現性がない。又、ペルチェ素子に常時通電を行うため、バッテリに対する負荷が大きすぎてデジタルカメラ用撮像装置には使用できない。
【０００８】
特許文献３で提案された方法では、冷却時に大電力を必要とするためバッテリに対する負荷が大きく、デジタルカメラ用撮像装置に使用するには不向きであるとともに、冷却時に吸熱した熱とペルチェ素子で発生した熱が、非冷却時に撮像素子に逆戻りして、撮像素子を暖めてしまう不具合も起こる。
【０００９】
本発明は、上記事情に鑑みてなされたもので、ペルチェ素子等の冷却素子を常時駆動しながら、消費電力の増加がほとんど無いような冷却手段を備えた撮像装置を提供することを目的とする。
【課題を解決するための手段】
【００１０】
本発明の目的は、下記構成により達成することができる。
【００１１】
（請求項１）
撮像素子と、
半導体部を含む回路とを有する撮像装置において、
前記回路のうち、前記撮像素子が能動状態にあるのと略同じときに通電状態にある部分に、前記撮像素子を冷却するための冷却素子を能動状態にならしめるよう配置したことを特徴とする撮像装置。
【００１２】
（請求項２）
前記回路は、前記撮像素子を駆動もしくは制御するための回路であることを特徴とする請求項１に記載の撮像装置。
【００１３】
（請求項３）
前記回路は、前記撮像素子からの画像出力を駆動もしくは処理する回路であることを特徴とする請求項１又は２に記載の撮像装置。
【００１４】
（請求項４）
前記冷却素子は、ペルチェ素子であることを特徴とする請求項１乃至３の何れか１項に記載の撮像装置。
【発明の効果】
【００１５】
請求項１に記載の発明によれば、半導体部を含む回路のうち、撮像素子が能動状態にあるのと略同じときに通電状態となる部分、例えば撮像装置が動作している間は常時電流が流れている電源安定化回路の抵抗に代えて冷却素子を能動状態にならしめるよう配置するため、冷却素子を常時駆動しながら、消費電力は冷却素子を配置していないときと同等となり、冷却による消費電力の増加がない理想的な構成となる。
【００１６】
請求項２及び３に記載の発明によれば、冷却素子を撮像素子の近傍の回路内に挿入することで、配線の引き回し等回路実装上有利となる。
【００１７】
請求項４に記載の発明によれば、冷却素子として実用性の高いペルチェ素子を用いることで、冷却効率の高い撮像装置を提供できる。
【発明を実施するための最良の形態】
【００１８】
以下、図面に基づき本発明の実施の形態を説明する。
【００１９】
図１は、本発明に係る撮像装置を搭載するデジタルカメラ１の外観模式図で、図１（ａ）は正面図、図１（ｂ）は背面図である。
【００２０】
カメラ筐体１０の正面には、撮影レンズ２５１、フラッシュ発光部１３１ａ、ファインダ対物部１４１ａ、が設けられている。カメラ筐体１０の上部には、レリーズボタン１２１、カメラの動作モードを設定するモード設定ダイアル１１２が設けられており、カメラ筐体１０の内部でレリーズボタン１２１の下部には、ＡＦスイッチＳ１とレリーズスイッチＳ２を備えた２段スイッチが設けられている。
【００２１】
カメラ筐体１０の背面には、カメラの電源スイッチであるメインスイッチ１１１、ファインダ接眼部１４１ｂ、接眼表示部１４２、ライブビュー画像及び撮像された画像を表示するモニタ２３１、モニタへの表示のオン／オフを制御するモニタスイッチ１１３が備えられている。
【００２２】
図２は、本発明に係るデジタルカメラ１の縦断面模式図（図１のＡ−Ａ’断面）である。図中、図１と同じ部分には同じ番号を付与した。
【００２３】
撮影レンズ２５１で集光された被写体からの光は撮像素子２１１上に結像される。撮像素子２１１は図示しない撮像素子２１１を駆動制御する回路が搭載された基板２６１上に実装され、撮像素子２１１の裏面２１１ａ（撮影レンズと反対側）にはペルチェ素子等の冷却素子２４１の冷却側２４１ａが熱的に密着される。冷却素子２４１の放熱側２４１ｂには放熱板２４２が熱的に密着される。放熱板２４２の一部はカメラ筐体１０の内部に熱的に密着される。従って、撮像素子２１１で発生した熱は、冷却素子２４１、放熱板２４２を介してカメラ筐体１０に放熱される。
【００２４】
図３は、本発明に係るデジタルカメラ１の回路ブロック図である。図中、図１、２と同じ部分には同じ番号を付与した。
【００２５】
制御部であるカメラコントローラ１０１は、図示しないＣＰＵ（中央処理装置）、ワークメモリ等から構成され、図示しない記憶部に記憶されているプログラムをワークメモリに読み出し、当該プログラムに従ってデジタルカメラ１の各部を集中制御する。
【００２６】
又、カメラコントローラ１０１は、メインスイッチ１１１，ＡＦスイッチＳ１、レリーズスイッチＳ２、モード設定ダイアル１１２、モニタスイッチ１１３からの入力を受けてカメラ各部の動作を制御すると共に、画像処理と画像の制御を行うデジタル処理部２０１と連携してレンズ制御部１７１を介したＡＦ制御、絞り制御、フラッシュ１３１の発光制御を行う。更に、ファインダ接眼部１４１ｂの内部又は近傍に備えられた接眼表示部１４２に各種情報を表示する。
【００２７】
撮影レンズ２５１で集光された被写体からの光は撮像素子２１１上に結像される。撮像素子２１１に接して撮像素子２１１を冷却するためのペルチェ素子等の冷却素子２４１が配置される。撮像素子２１１で撮像された画像は、アナログ処理部２１２で所定の処理が施された後、Ａ／Ｄ変換部２１３でデジタルデータに変換され、デジタル処理部２０１で所定の信号処理、画像処理が施されて画像データとして画像メモリ２２１に一旦蓄えられると共に、モニタ２３１上にライブビュー画像として表示される。レリーズスイッチＳ２がオンされると、後述の制御に従って撮影が行われ、画像データが画像メモリ２２１に一旦蓄えられた後、モニタ２３１上に撮影済み画像としてアフタービュー表示され、メモリカード２３１に保存される。撮像素子２１１、アナログ処理部２１２、Ａ／Ｄ変換部２１３の動作は、タイミングジェネレータ２１４とＶドライバ２１５によって制御される。制御の詳細については説明を省略する。撮像素子２１１、冷却素子２４１、アナログ処理部２１２、Ａ／Ｄ変換部２１３、タイミングジェネレータ２１４、Ｖドライバ２１５を総称して撮像部２１０という。
【００２８】
カメラの各部の電源を制御する電源部１５１では、バッテリ１６１からＶ１（＝１５Ｖ）、Ｖ２（＝５Ｖ）、Ｖ３（＝３．３Ｖ）、Ｖ４（＝−７．５Ｖ）等の電圧を生成し、カメラ各部に供給する。
【００２９】
次に、冷却素子２４１の代表例として、ペルチェ素子について図４を用いて簡単に説明する。図４は、ペルチェ素子の特性を示す特性模式図である。
【００３０】
ペルチェ素子は、異なる金属の接合部に電流を流すことによって、両金属間に温度差が生じる現象（ペルチェ効果）を利用した冷却素子である。このペルチェ素子の吸熱面に撮像素子を接触させ、放熱面に放熱板などを接触させることによって、撮像素子の冷却を行うことができる。
【００３１】
ペルチェ素子の電気的特性としては、図４に示したように、印加電圧Ｖ１に対して流れる電流Ｉ１が直線的に増加する抵抗性の特性を示し、流れる電流Ｉ１に対してほぼ直線的に温度差ΔＴ１が発生するため、印加する電圧Ｖ１にほぼ比例して温度差ΔＴ１が発生する抵抗性素子と考えてよい。
【００３２】
次に、本発明に係る半導体部を含む回路について図５と図８を用いて説明する。図５は、図１乃至図３に示した本発明に係る撮像装置を搭載するデジタルカメラ１における撮像素子２１１周辺の回路図であり、図８は冷却素子２４１を持たない従来例に係る撮像素子２１１周辺の回路図である。図中、図１、２、３と同じ部分には同じ番号を付与した。
【００３３】
まず、図８を用いて従来例に係る撮像素子２１１周辺の回路について説明する。電源部１５１では、昇圧部１５２によってバッテリ１６１の電圧から電圧Ｖ１（＝１５Ｖ）、電圧Ｖ２（＝５Ｖ）、電圧Ｖ４（＝−７．５Ｖ）が作られ、抵抗Ｒ４とツェナーダイオードＺ１を用いて電圧Ｖ２から電圧Ｖ３が作られる。電圧Ｖ１は抵抗Ｒ１とキャパシタＣ１で安定化された後、撮像素子２１１に供給される。電圧Ｖ４は抵抗Ｒ５とキャパシタＣ２で安定化された後、撮像素子２１１に供給される。電圧Ｖ３は抵抗Ｒ４とキャパシタＣ３で安定化された後、アナログ処理部２１２に供給される。撮像素子の画像出力ＶｏｕｔはトランジスタＱ１と抵抗Ｒ３からなるフォロアでインピーダンス変換されて、キャパシタＣ４で交流結合されてアナログ処理部２１２に供給される。なお、上述の各部にはトランジスタをはじめとする半導体が用いられており、半導体部に相当する。
【００３４】
次に、図５を用いて本発明における冷却素子２４１の回路上の配置例を説明する。ここでは、冷却素子２４１としてペルチェ素子を例にとって説明する。
【００３５】
前述したように、ペルチェ素子は電気的には抵抗と等価と考えてよい。そこで、本発明では、ペルチェ素子を駆動するための電源を別設することなく、従来の回路で抵抗によって電力を消費している部分の抵抗の代わりにペルチェ素子を配置することで、あるいはトランジスタに印加されている電圧の一部をペルチェ素子で分担することで、ペルチェ素子を常時駆動させてもほとんど消費電力が増加しない構成とした。以下に具体例を４例あげる。
【００３６】
図５（ａ）では、図８の撮像素子用電源電圧Ｖ１の安定化用抵抗Ｒ１の代わりにペルチェ素子２４１を挿入している。撮像素子２１１は微少なアナログ電荷を扱うため、電源変動には非常に敏感であり、撮像素子用電源電圧Ｖ１には高い安定性が求められるため、抵抗Ｒ１とキャパシタＣ１で構成される電源安定化回路は必須である。そこで、ペルチェ素子２４１の等価抵抗値を抵抗Ｒ１と同じに設定すれば、回路的には電源安定化回路と同等になるので消費電力も同等となり、消費電力の増大はない理想的な構成となる。又、通常、配線の引き回しによるノイズの発生等を抑えるために抵抗Ｒ１とキャパシタＣ１は撮像素子２１１の近傍に配置されるので、ペルチェ素子２４１を抵抗Ｒ１の代わりに置くのは実装上も都合がよい。
【００３７】
図５（ｂ）では、図８の画像出力Ｖｏｕｔのフォロア用トランジスタＱ１のコレクタにペルチェ素子２４１を挿入している。一般的には、撮像素子２１１の電源電圧Ｖ１は前述のように１５Ｖ程度であり、画像出力Ｖｏｕｔは最大でＤＣで１０Ｖ程度である。従って、トランジスタＱ１のコレクタ−エミッタ間には少なくとも５．５Ｖ程度の電圧が印可されていることになる。このトランジスタＱ１のコレクタ−エミッタ間に印加されている電圧の一部をペルチェ素子２４１に印加することで、ペルチェ素子２４１を常時駆動しながら、トランジスタＱ１とペルチェ素子２４１の合計での消費電力はトランジスタＱ１単体の時と同じになり、ペルチェ素子を挿入することによる消費電力の増加はない理想的な構成となる。通常、トランジスタＱ１は撮像素子２１１の近傍に配置されるので、ペルチェ素子２４１をその近傍に配置するのは実装上も都合がよい。
【００３８】
図５（ｃ）では、図８の画像出力Ｖｏｕｔのフォロアの出力側の抵抗Ｒ３を２つに分割して、その内の一つの代わりにペルチェ素子２４１を挿入している。Ｒ３を２つに分割しているのは、抵抗Ｒ３の抵抗値とペルチェ素子の抵抗値のバランスを考えてのことで必須ではなく、ペルチェ素子の等価抵抗値を抵抗Ｒ３と同じに設定すれば消費電力は同等となり、理想的な構成となる。これも、通常、抵抗Ｒ３は撮像素子２１１の近傍に配置されるので、ペルチェ素子２４１をその代わりに置くのは実装上も都合がよい。
【００３９】
図５（ｄ）では、図８の電圧Ｖ３安定化用抵抗Ｒ４の代わりにペルチェ素子２４１を挿入している。ペルチェ素子の等価抵抗値を抵抗Ｒ４と同じに設定すれば消費電力は同等となり、理想的な構成となる。電圧Ｖ３はアナログ処理部２１２の電源として用いられるために安定化が重要であり、抵抗Ｒ４は電源部１５１の一部を成す回路素子であるが、通常はツェナーダイオードＺ１、キャパシタＣ３と共にアナログ処理部２１２及び撮像素子２１１の近傍に配置されるので、ペルチェ素子２４１をその代わりに置くのは実装上も都合がよい。
【００４０】
この他にも、カメラ内の従来の回路で、抵抗によって電力を消費している部分の抵抗を冷却素子に置き換えることで、あるいはトランジスタに印加されている電圧の一部を冷却素子で分担することで、冷却素子を常時駆動させてもほとんど消費電力が増加しない構成をとることが可能である。
【００４１】
次に、本発明に係るデジタルカメラ１での撮像動作の制御を、図６を用いて説明する。図６は、デジタルカメラ１での撮影の流れを示すフローチャートである。
【００４２】
まず、ステップＳ０１でメインスイッチ１１１が操作されてカメラの電源がオンされると、ステップＳ０２で起動時の動作モードが判別される。ここでは、モード設定ダイアル１１２を用いて「カメラモード」に設定されているとして、カメラモードが起動される。カメラモード以外の動作モード（例えば、再生モード）での制御については説明を省略する。
【００４３】
カメラモードが起動された場合は（ステップＳ０２；ＹＥＳ）、ステップＳ１１で撮像部２１０の電源がオンされ、同時にペルチェ素子等の冷却素子２４１にも通電されるために、撮像素子２１１の冷却が開始される。ステップＳ１２でモニタ２３１上にライブビュー表示が行われ、ステップＳ１３でＡＦスイッチＳ１がオンされたかどうかが判断される。ＡＦスイッチＳ１がオンされるまで、ステップＳ１３で待機する。
【００４４】
ＡＦスイッチＳ１がオンされると（ステップＳ１３；ＹＥＳ）、ステップＳ１４でＡＦとＡＥが行われ、ステップＳ１５でレリーズスイッチＳ２がオンされたかどうかが判断される。レリーズスイッチＳ２がオンされるまで、ステップＳ１３からＳ１５が繰り返される。
【００４５】
レリーズスイッチＳ２がオンされると（ステップＳ１５；ＹＥＳ）、ステップＳ１６で撮影が行われ、ステップＳ１７で、撮影された画像データが画像メモリ２２１に一旦蓄えられる。ステップＳ１８でモニタ２３１上に撮影された画像の表示（アフタービュー表示）が行われ、ステップＳ１９で撮影された画像データがメモリカード２２２に記録される。
【００４６】
ステップＳ２０でモニタ２３１上のアフタービュー表示が消灯されて、ステップＳ２１でモニタ２３１上に再度ライブビュー表示が行われる。ステップＳ２２でオートパワーオフ（ＡＰＯ：規定の時間、何の操作も行われなかった場合に、電源をオフする機能）時間が経過していないかどうかが判断され、経過していない場合は（ステップＳ２２；ＮＯ）、ステップＳ２３でメインスイッチ１１１がオフされていないかどうかが判断される。
【００４７】
オフされていない場合は（ステップＳ２３；ＮＯ）、ステップＳ２４で動作モードがカメラモードから変更されていないかどうかが判断される。変更されていなければ（ステップＳ２４；ＹＥＳ）、ステップＳ１２に戻って上述のシーケンスを繰り返す。動作モードが変更されている場合は（ステップＳ２４；ＮＯ）、変更されたモードでの制御に移行する。カメラモード以外の動作モード（例えば、再生モード）での制御については説明を省略する。
【００４８】
ステップＳ２２でＡＰＯ時間が経過していた場合（ステップＳ２２；ＹＥＳ）及びステップＳ２３でメインスイッチ１１１がオフされていた場合（ステップＳ２３；ＹＥＳ）、ステップＳ２５でモニタ２３１上のライブビューが消灯され、ステップＳ２６で撮像部２１０の電源がオフされる。同時にペルチェ素子等の冷却素子２４１への通電もオフされ、撮像素子２１１の冷却が終了される。以上で撮影終了となる。
【００４９】
一眼レフ型のデジタルカメラのようにライブビュー機能のない撮像装置では、通常は撮像部２１０の電源は撮影時のみ投入される。この場合は、ステップＳ１１（撮像部２１０の電源が投入され、同時に冷却素子２４１にも通電されて撮像素子２１１の冷却が開始される）とステップＳ２６（撮像部２１０の電源がオフされ、同時にペルチェ素子等の冷却素子２４１への通電もオフされ、撮像素子２１１の冷却が終了される）は、ステップＳ１６（撮影）の前後に置かれ、ライブビューに関わるステップＳ１２、ステップＳ２１、ステップＳ２５は削除される。
【００５０】
次に、図６に示した処理の流れにおける撮像素子２１１及び冷却素子２４１周辺の回路の動作と、撮像素子２１１の温度について、図７を用いて説明する。図７（ａ）は、図６の各ステップの動作タイミングを示したタイミングチャートであり、図７（ｂ）は、従来例に係る撮像素子チップ２１１ａの図７（ａ）に示した動作における温度の推移を示した模式図であり、図７（ｃ）は、本発明に係る撮像素子チップ２１１ａの図７（ａ）に示した動作における温度の推移を示した模式図である。
【００５１】
図７（ａ）において、ステップＳ０１でメインスイッチ１１１がＯＮされて、カメラモードで起動されると、ステップＳ１１で撮像部２１０の電源が投入され、同時に冷却素子２４１にも通電されて撮像素子２１１の冷却が開始される。ステップＳ１２でライブビューのための撮像が開始され、モニタ２２２上にライブビューが表示される。次に、ステップＳ１３でＡＦスイッチＳ１のオンが確認されると（ステップＳ１３；ＹＥＳ）、ＡＦ、ＡＥが行われる。続いて、ステップＳ１５でレリーズスイッチＳ２のオンが確認されると（ステップＳ１５；ＹＥＳ）、ステップＳ１６で撮影が行われる。
【００５２】
ステップＳ１７で画像データが画像メモリ２２１に記録され、ステップＳ１９で画像データがメモリカード２３１に記録されて撮影動作が完了する。
【００５３】
図８のように冷却が行われない場合、撮像素子チップ２１１ａの温度Ｔ１は、図７（ｂ）のようにステップＳ１１で撮像部２１０の電源が投入されてステップＳ１２でライブビューが開始されると同時に上がりはじめ、やがて熱平衡に達する。前述したように、この時の温度上昇により、８℃温度が上昇すると暗電流すなわち暗ノイズが２倍に増加する。仮に８０℃温度が上昇したと仮定すると、暗ノイズは１０００倍以上にも増加することになる。
【００５４】
一方、図５のように冷却が行われる場合は、図７（ｃ）のように、ステップＳ１１で撮像部２１０の電源が投入されて、冷却素子２４１にも通電が開始されると同時に撮像素子チップ２１１ａの温度Ｔ２は下がりはじめ、やがて熱平衡に達する。仮に４０℃温度が下がったと仮定すると、暗電流は３０分の１以下に減少することになる。これによって、暗ノイズが低減され高画質化に寄与する。
【００５５】
以上のように、ペルチェ素子等の冷却素子２４１は、撮像部２１０の電源がオンされてから（ステップＳ１１）オフされるまで（ステップＳ２６）特段の制御なく常時通電されて撮像素子２１１を冷却し続けており、撮影された画像の高画質化に貢献しているが、図５の説明で述べたように、消費電力は従来の回路と同じで冷却のための新たな消費電力増大はない。これによって、省エネと高画質化の両立が可能となった。
【００５６】
又、本実施の形態では、撮像素子としてＣＣＤ（電荷結合型）撮像素子を基本に説明を行ってきたが、これに限るものではなく、ＣＭＯＳ（相補型金属酸化膜半導体）型撮像素子等の他の撮像素子であってもよい。
【００５７】
なお、本発明に係るデジタルカメラ１の撮像装置を構成する各構成の細部構成及び細部動作に関しては、本発明の趣旨を逸脱することのない範囲で適宜変更可能である。
【図面の簡単な説明】
【００５８】
【図１】本発明に係る撮像装置の外観模式図である。
【図２】図１に示した撮像装置の図１中Ａ−Ａ’断面の模式図である。
【図３】本発明に係る撮像装置の回路ブロック図である。
【図４】ペルチェ素子の電気的特性を示す特性模式図である。
【図５】本発明に係る撮像部の回路図である。
【図６】本発明に係る撮像装置における撮像制御の例を示すフローチャートである。
【図７】図７（ａ）は本発明に係る撮像装置各部の動作タイミングを示したタイミングチャートであり、図７（ｂ）は従来例に係る撮像素子の温度の推移を示した模式図であり、図７（ｃ）は本発明に係る撮像素子の温度の推移を示した模式図である。
【図８】従来例に係る撮像部の回路図である。
【符号の説明】
【００５９】
１  デジタルカメラ
１０  カメラ筐体
１０１  カメラコントローラ
１１１  メインスイッチ
１１２  モード設定ダイアル
１１３  モニタスイッチ
１２１  レリーズボタン
Ｓ１  ＡＦスイッチ
Ｓ２  レリーズスイッチ
１３１  フラッシュ
１３１ａ  フラッシュ発光部
１４１  ファインダ
１４１ａ  ファインダ対物部
１４１ｂ  ファインダ接眼部
１４２  接眼表示部
１５１  電源部
１５２  昇圧部
１５３  ツェナーダイオード
１５８  キャパシタ
１６１  バッテリ
１７１  レンズ制御部
２０１  デジタル処理部
２１０  撮像部
２１１  撮像素子
２１１ａ  撮像素子２１１の裏面
２１２  アナログ処理部
２１３  Ａ／Ｄ変換部
２１４  タイミングジェネレータ
２１５  Ｖドライバ
２２１  画像メモリ
２２２  メモリカード
２３１  モニタ
２３１ａ  液晶
２３１ｂ  バックライト
２３１ｃ  保護ガラス
２４１  冷却素子
２４１ａ  冷却素子２４１の冷却側
２４１ｂ  冷却素子２４１の放熱側
２４２  放熱板
２５１  撮影レンズ
２５２  絞り
２６１  基板
Ｃ１  キャパシタ
Ｑ１  トランジスタ
Ｒ１  抵抗１
Ｒ２  抵抗２
Ｒ３  抵抗３
Ｒ４  抵抗４
Ｖ１  電源１
Ｖ２  電源２
Ｖ３  電源３
Ｖ４  電源４
Ｚ１  ツェナーダイオード
【図１】
2006174225.tif 000003
【図２】
2006174225.tif 000004
【図３】
2006174225.tif 000005
【図４】
2006174225.tif 000006
【図５】
2006174225.tif 000007
【図６】
2006174225.tif 000008
【図７】
2006174225.tif 000009
【図８】
2006174225.tif 000010